(57)【要約】【課題】エレベータ乗り場と乗りかごとの間に隙間が生じていても、そのエレベータ乗り場と乗りかごとの間での乗り降りを安全にかつ不安を伴うことなく行なえるエレベータを提供する。【解決手段】乗りかご３には乗降補助装置１３が設けられている。この乗降補助装置１３は、乗りかご３がエレベータ乗り場７に着床して停止した際に、乗りかご３の内部とエレベータ乗り場７との間に渡って往復移動することが可能な搬送プレート１４を備えている。乗りかご３がエレベータ乗り場７に着床して停止し、搬送プレート１４が乗りかご３内からエレベータ乗り場７に移動した際に、その搬送プレート１４の上に車いす利用の乗客が乗る。この状態で搬送プレート１４が乗りかご３内に移動することで車いす利用の乗客が乗りかご３内に搬送される。【選択図】      図１
2009062148.tif 000002
【特許請求の範囲】
【請求項１】
エレベータの乗りかごと、この乗りかごに設けられた乗降補助装置とを具備し、
前記乗降補助装置は、乗りかごがエレベータ乗り場に着床して停止した際に、その乗りかごの内部と前記エレベータ乗り場との間に渡って往復移動させることが可能な搬送体を有し、この搬送体を介して乗りかごに対する人や物の乗り降りを可能にしてなることを特徴とするエレベータ。
【請求項２】
前記搬送体には、乗りかごの行先階を登録するための専用操作盤が設けられていることを特徴とする請求項１に記載のエレベータ。
【請求項３】
前記搬送体には、安全用の柵体が設けられていることを特徴とする請求項１または２に記載のエレベータ。
【請求項４】
エレベータ乗り場には、前記乗降補助装置を稼動させるための専用のボタンが設けられていることを特徴とする請求項１、２または３に記載のエレベータ。
【請求項５】
前記搬送体の端縁には傾斜が設けられていることを特徴とする請求項１、２、３または４に記載のエレベータ。
【請求項６】
前記搬送体には、該搬送体に人や物を乗り込ませるための移送装置が設けられていることを特徴とする請求項１、２、３または４に記載のエレベータ。
【発明の詳細な説明】
【技術分野】
【０００１】
この発明は、エレベータの乗りかごの内部と外部との間で人や物を搬送して乗降させることが可能な乗降補助装置を備えるエレベータに関する。
【背景技術】
【０００２】
エレベータは、建屋の昇降路内で昇降移動する乗りかごを備え、この乗りかごが建屋のエレベータ乗り場に着床して停止した際に、乗りかごおよびエレベータ乗り場のドア装置が開き、エレベータ乗り場と乗りかごとの間で乗客の乗り降りが行なわれる。そして乗客の乗り降りが終了した後に前記ドア装置が閉じ、乗りかごが次の目的階のエレベータ乗り場に向って移動する。
【０００３】
乗りかごが昇降移動するためには、エレベータ乗り場と乗りかごとの間に所定の隙間を確保する必要がある。したがって、乗りかごがエレベータ乗り場に着床して停止した際にはそのエレベータ乗り場と乗りかごとの間に隙間や段差が生じる。健常者である通常の乗客にとってはその隙間や段差は特に気になることはないが、例えば高齢者や車いす利用者にとってはその隙間や段差が障害となり、その隙間に足を引っ掛けてつまずいたり、車いすの車輪が隙間に入り込んだりして乗り降りに不安感が生じてしまう。
【０００４】
そこで、特開２００６−１３７５７４公報では、乗りかごがエレベータ乗り場に着床して停止した際に、そのエレベータ乗り場と乗りかごとの間の隙間を塞ぐように動作する遮蔽プレートを設けることが提案されている。
【特許文献１】特開２００６−１３７５７４公報
【発明の開示】
【発明が解決しようとする課題】
【０００５】
しかしながら、特願２００６−１３７５７４公報のように、エレベータ乗り場と乗りかごとの間の隙間を遮蔽プレートで塞ぐようにしても、エレベータ乗り場と乗りかごとの間の隙間が塞がれるだけで、エレベータ乗り場と乗りかごとの間には遮蔽プレートなどの機材類が配置して細かな凹凸や傾斜が形成され、この部分を高齢者や車いす利用者が自力で通過しなければならず、乗り降りにはやはり不安が生じる。
【０００６】
この発明はこのような点に着目してなされたもので、その目的とするところは、エレベータ乗り場と乗りかごとの間に隙間が生じていても、そのエレベータ乗り場と乗りかごとの間での乗り降りを安全にかつ不安を伴うことなく行なうことができる乗降補助装置を備えるエレベータを提供することにある。
【課題を解決するための手段】
【０００７】
請求項１の発明は、エレベータの乗りかごと、この乗りかごに設けられた乗降補助装置とを具備し、前記乗降補助装置は、乗りかごがエレベータ乗り場に着床して停止した際に、その乗りかごの内部と前記エレベータ乗り場との間に渡って往復移動させることが可能な搬送体を有し、この搬送体を介して乗りかごに対する人や物の乗り降りを可能にしてなることを特徴としている。
【０００８】
請求項２の発明は、前記搬送体には、乗りかごの行先階を登録するための専用操作盤が設けられていることを特徴としている。
【０００９】
請求項３の発明は、前記搬送体には、安全用の柵体が設けられていることを特徴としている。
【００１０】
請求項４の発明は、エレベータ乗り場には、前記乗降補助装置を稼動させるための専用のボタンが設けられていることを特徴としている。
【００１１】
請求項５の発明は、前記搬送体の端縁には傾斜が設けられていることを特徴としている。
【００１２】
請求項６の発明は、前記搬送体には、該搬送体に人や物を乗り込ませるための移送装置が設けられていることを特徴としている。
【発明の効果】
【００１３】
この発明によれば、エレベータ乗り場と乗りかごとの間に隙間が生じていても、そのエレベータ乗り場と乗りかごとの間での乗り降りを安全にかつ不安を伴うことなく行なうことができる。
【発明を実施するための最良の形態】
【００１４】
以下、この発明の実施形態について図面を参照して説明する。
【００１５】
図１乃至図６には第１の実施形態を示してある。図１に示すように、エレベータの昇降路１内にはメインロープ２を介して乗りかご３が吊り下げられ、この乗りかご３が上下に昇降移動する。乗りかご３は前面に出入口４を有し、この出入口４にその開閉用のかごドア装置５が設けられている。
【００１６】
建屋のエレベータ乗り場７には、昇降路１に通じる乗降口８が設けられ、この乗降口８にその開閉用の乗り場ドア装置９が設けられている。そして乗りかご３がエレベータ乗り場７に着床して停止した際に、かごドア装置５と乗り場ドア装置９が互いに連動して開き、これによりエレベータ乗り場７と乗りかご３との間での乗客の乗り降りが可能となる。
【００１７】
乗りかご３の下部には乗降補助装置１３が設けられている。この乗降補助装置１３は搬送体としての搬送プレート１４を備え、この搬送プレート１４は乗りかご３の内部床面上に配置され、乗りかご３の前後方向にスライド可能となっている。搬送プレート１４は図２に示すように、乗りかご３内の左右側の一側寄りに配置され、他側寄りの空間領域に一般の乗客が乗ることができるようになっている。搬送プレート１４の後端側の端部にはヒンジ１５を介して腕部材１６が取り付けられている。この腕部材１６は円弧状に湾曲し、乗りかご３の内部から乗りかご３の床部を通してその下方に導出されている。
【００１８】
乗りかご３の床部の下面部には、搬送プレート１４を駆動する駆動機構が設けられている。この駆動機構は、駆動源としてのモータ２０と、このモータ２０に駆動されて回転する駆動シーブ２１と、この駆動シーブ２１に転接して回転する従動シーブ２２とを備え、前記搬送プレート１４から導出された腕部材１６が前記駆動シーブ２１と従動シーブ２２との間に導入され、その駆動シーブ２１と従動シーブ２２とで挟持されている。駆動シーブ２１は例えば歯車構造の回転体で、この駆動シーブ２１に腕部材１６がかみ合い、駆動シーブ２１の回転に応じて腕部材１６がその長手方向に進退移動し、これにより前記搬送プレート１４が乗りかご３の前後方向に往復移動するようになっている。
【００１９】
搬送プレート１４の上には左右の両側に柵体２６が取り付けられ、またその一方の柵体２６に乗降補助装置１３を利用する乗客が操作する専用操作盤２７が取り付けられている。この専用操作盤２７には、図３に示すように、乗りかご３の行先階を登録する行先階ボタン２８、かごドア装置５を開閉操作する開閉ボタン２９、搬送プレート１４を動作させる運転ボタン３０が設けられている。
【００２０】
また、乗りかご３内には、図１に示すように一般乗客が操作する一般操作盤３５が設けられている。この一般操作盤３５には、図４に示すように、乗りかご３の行先階を登録する行先階ボタン３６、かごドア装置５を開閉操作する開閉ボタン３７、報知手段としてのスピーカー３８が設けられている。
【００２１】
一方、エレベータ乗り場７には、図１に示すように一般乗客が操作する一般操作盤４０および乗降補助装置１３を利用する乗客が操作する専用操作盤４１が設けられている。一般操作盤４０には、図５に示すように、乗りかご３の呼びを登録する呼びボタン４２、報知手段としてのスピーカー４３が設けられ、専用操作盤４１には乗りかご３の呼びを登録する呼びボタン４５、搬送プレート１４を復帰させる復帰ボタン４６が設けられている。
【００２２】
乗りかご３の専用操作盤２７、一般操作盤３５およびエレベータ乗り場７の一般操作盤４０、専用操作盤４１は、それぞれ乗りかご３の運行やかごドア装置５などを制御する図１に示す制御手段としての制御盤５０に接続されている。この制御盤５０は例えば昇降路１の内部に設置されている。そして前記専用操作盤２７，４１と一般操作盤３５，４０の双方が操作されたときには専用操作盤２７，４１の操作が優先するようになっている。
【００２３】
次に、このエレベータの作用について説明する。
【００２４】
一般の乗客がエレベータを利用するときには、エレベータ乗り場７において一般乗客が一般操作盤４０のかご呼びボタン４２を操作してかご呼びの登録を行なう。これに応じて制御盤５０による制御で乗りかご３がそのエレベータ乗り場７に移動して着床し、かごドア装置５および乗り場ドア装置９が互いに連動して開く。そして乗客が乗りかご３に乗り、その乗りかご３内の一般操作盤３５の行先階ボタン３６を操作し、開閉ボタン３７の閉じボタンを操作すると、かごドア装置５および乗り場ドア装置９が閉じ、乗りかご３が目的階に向って移動し、乗りかご３が目的階に達して停止した後にかごドア装置５および乗り場ドア装置９が開き、乗りかご３内の乗客がその目的階で降りることが可能となる。
【００２５】
一方、例えば車いす利用の乗客がエレベータを利用するときには、まずエレベータ乗り場７において専用操作盤４１のかご呼びボタン４５を操作してかご呼びの登録を行なう。
【００２６】
これに応じて制御盤５０による制御で乗りかご３がそのエレベータ乗り場７に移動して着床し、かごドア装置５および乗り場ドア装置９が互いに連動して開き、この開き状態が維持される。
【００２７】
そしてこの後、制御盤５０による制御で乗降補助装置１３の動作が開始する。すなわち、モータ２０が起動して駆動シーブ２１が回転し、この駆動シーブ２１の回転で腕部材１６を介して搬送プレート１４が乗りかご３の前方側に移動するように駆動される。搬送プレート１４は乗りかご３とエレベータ乗り場７との間の隙間の上を乗り越えてエレベータ乗り場７の床面上に移動して停止する。乗降補助装置１３の動作が開始する直前には、乗降補助装置１３が動作する旨のアナウンスがスピーカー３８，４３を介して乗りかご３内およびエレベータ乗り場７に流れ、注意が促される。
【００２８】
搬送プレート１４が乗りかご３内から進出してエレベータ乗り場７の床面上に配置した後には、図６（Ａ）に示すように、車いす利用の乗客がその車いすａを走行させて搬送プレート１４の上に乗り、さらに車いすａのブレーキ装置を操作して搬送プレート１４の上に定置させる。なお、車いすａは介護者などの操作で搬送プレート１４の上に乗せる場合であってもよい。
【００２９】
次に、搬送プレート１４に設けられている専用操作盤２７の運転ボタン３０を操作する。この操作に応じて、モータ２０が駆動され、図６（Ｂ）に示すように搬送プレート１４が乗りかご３内に向って移動する。そして図６（Ｃ）に示すように、搬送プレート１４が乗りかご３内の所定の位置に達した際に停止する。すなわち、搬送プレート１４の移動により車いすａがエレベータ乗り場７から乗りかご３内に搬送される。
【００３０】
この後、専用操作盤２７の行先階ボタン３６を操作して行先階の登録を行ない、さらに開閉ボタン３７の閉じボタンを操作する。この操作により、かごドア装置５および乗り場ドア装置９が閉じ、乗りかご３が目的階に向って移動する。そして、乗りかご３が目的階のエレベータ乗り場７に着床して停止すると、かごドア装置５および乗り場ドア装置９が開き、さらに乗降補助装置１３が動作する旨のアナウンスがスピーカー３８，４３を介して乗りかご３内および目的階のエレベータ乗り場７に流れ、注意が促される。
【００３１】
この後、専用操作盤２７の運転ボタン３０を操作すると、車いすａを乗せたまま搬送プレート１４が乗りかご３内からエレベータ乗り場７の床面上に移動し、所定の位置で停止する。そしてこの状態のもとで、搬送プレート１４の上から車いすａを走行させてエレベータ乗り場７に降りる。
【００３２】
搬送プレート１４から降りた車いす利用の乗客または介護者は、エレベータ乗り場７の専用操作盤４１に設けられている復帰ボタン４６を操作する。この操作により、搬送プレート１４が乗りかご３に向って移動し、乗りかご３内の所定の位置に収納されるとともに、かごドア装置５および乗り場ドア装置９が閉じ、乗りかご３が次の目的階に向って移動する。
【００３３】
このように、車いすの乗客がエレベータを利用する際には、エレベータ乗り場７に乗りかご３が着床してドアが開くと、乗りかご３内からエレベータ乗り場７の床面に搬送プレート１４が進出移動する。そして、この搬送プレート１４の上に車いすａが乗った後に、この車いすａと共に搬送プレート１４が乗りかご３内に後退移動して車いすａが乗りかご３内に搬送される。したがって、車いすａがエレベータ乗り場７から乗りかご３内に移動するときに、車いすａの車輪がエレベータ乗り場７と乗りかご３との間の隙間に落ち込んだり挟まったりするようなことがなく、安全にかつスムーズに車いすａの乗客が乗りかご３内に乗り込むことができる。
【００３４】
また、乗りかご３から降りるときも、乗りかご３が目的階のエレベータ乗り場７に着床してドアが開くと、車いすａが乗った搬送プレート１４が乗りかご３からエレベータ乗り場７に向って進出移動して車いすａがエレベータ乗り場７に搬送される。したがってこの場合にも車いすａの車輪がエレベータ乗り場７と乗りかご３との間の隙間に落ち込んだり挟まったりするようなことがなく、安全にかつスムーズにエレベータ乗り場７に降りることができる。
【００３５】
乗降補助装置１３は、車いすの乗客が利用する場合に限らず、例えば高齢者や非健常者が利用することも可能である。すなわち、搬送プレート１４の上に高齢者や非健常者が乗り、搬送プレート１４の移動でその高齢者や非健常者をエレベータ乗り場７から乗りかご３へ、或いは乗りかご３からエレベータ乗り場７へ搬送することができる。この場合、高齢者や非健常者が自力で移動して乗り降りする必要がなく、単に搬送プレート１４の上に乗っているだけでよく、したがってエレベータ乗り場７と乗りかご３との間に足や杖を引っ掛けてつまずくような危険がなく、安全にかつスムーズに乗り降りすることができる。
【００３６】
搬送プレート１４の両側部には柵体２６が設けられており、このため車いすの乗客や高齢者、非健常者が搬送プレート１４の上に乗り降りする際に柵体２６に手を掛けて容易に安全にその乗り降りを行なえ、また搬送プレート１４が移動する際にその搬送プレート１４の上に乗った車いすの乗客や高齢者、非健常者が柵体２６に手を掛けることで安全に体を支えることができる。
【００３７】
この発明は前記実施形態に限るものではなく、例えば図７に第２の実施形態として示すように、搬送プレート１４に移送装置としてベルトコンベア５５を組み込むことも可能である。この場合、ベルトコンベア５５は複数のローラ５６と、これらローラ５６間に掛け渡された無端状のベルト５７とからなり、前記ベルト５７が駆動源（図示せず）に駆動されて搬送プレート１４の一端側から他端側に向って無限循環走行するようになっている。
【００３８】
このような搬送プレート１４によれば、搬送プレート１４に車いすや人が乗り降りするときに、ベルトコンベア５５を駆動してその乗り降りに要する力を省力化することができる。
【００３９】
また、図８に第３の実施形態として示すように、搬送プレート１４の一端側縁部つまりエレベータ乗り場７に向く側の縁部に傾斜部１４ａを設けるようにすることも可能である。
【００４０】
このような場合には、搬送プレート１４の縁部が傾斜部１４ａとなっていることから、車いすａを搬送プレート１４に乗せるときや降ろすときの動作を円滑に行なえ、また搬送プレート１４の上に高齢者や非健常者が乗り降りする際につまずくようなことなく、乗り降りすることができる。
【００４１】
図９および図１０には第４の実施形態を示してあり、この実施形態においては、搬送プレート１４と腕部材１６との間のヒンジ１５に駆動源としてのモータ６０が組み込まれ、このモータ６０の起動でヒンジ１５および搬送プレート１４が腕部材１６に対して浮き上がるように動作するようになっている。
【００４２】
この実施形態の場合には、搬送プレート１４がエレベータ乗り場７に配置し、この搬送プレート１４の上に車いすａや人が乗り、搬送プレート１４が乗りかご３に向って移動する際に、図１０に示すように前記モータ６０が起動して搬送プレート１４が浮き上がり、この状態で搬送プレート１４がエレベータ乗り場７と乗りかご３との間の隙間の部分を通過し、この通過後に搬送プレート１４が下降して乗りかご３内の床面上に接触して停止する。また、搬送プレート１４が乗りかご３内からエレベータ乗り場７に向って移動する際にも、モータ６０が起動して搬送プレート１４が浮き上がり、この状態で搬送プレート１４がエレベータ乗り場７と乗りかご３との間の隙間の部分を通過し、この通過後に搬送プレート１４が下降してエレベータ乗り場７の床面上に接触して停止する。
【００４３】
このようにこの実施形態の場合には、搬送プレート１４が浮き上がった状態でエレベータ乗り場７と乗りかご３との間の隙間の部分を通過するため、そのエレベータ乗り場７と乗りかご３との間の隙間の部分に段差や凹凸があっても搬送プレート１４ががたついたり揺れたりするようなことがなく、円滑に搬送プレート１４をその隙間の部分を通過させることができる。
【図面の簡単な説明】
【００４４】
【図１】この発明の第１の実施形態に係るエレベータの全体の構成を示す説明図。
【図２】そのエレベータの乗りかごの床面を概略的に示す平面図。
【図３】そのエレベータの乗りかごに設けられる専用操作盤を示す正面図。
【図４】そのエレベータの乗りかごに設けられる一般操作盤を示す正面図。
【図５】エレベータ乗り場に設けられる専用操作盤および一般操作盤を示す正面図。
【図６】そのエレベータの作用を順に示す説明図。
【図７】乗降補助装置の搬送プレートに移送装置を組み込んだ例を示す説明図。
【図８】乗降補助装置の搬送プレートの縁部に傾斜部を設けた例を示す説明図。
【図９】乗降補助装置の搬送プレートに浮き上がり機構を設けた例を示す説明図。
【図１０】その搬送プレートの浮き上がり動作時の状態を示す説明図。
【符号の説明】
【００４５】
１…昇降路
３…乗りかご
７…エレベータ乗り場
１３…乗降補助装置
１４…搬送プレート
１４ａ…傾斜部
１５…ヒンジ
１６…腕部材
２０…モータ
２１…駆動シーブ
２２…従動シーブ
２６…柵体
２７…専用操作盤
２８…行先階ボタン
２９…開閉ボタン
３０…運転ボタン
３５…一般操作盤
３６…行先階ボタン
３７…開閉ボタン
３８…スピーカー
４３…スピーカー
４０…一般操作盤
４１…専用操作盤
４２…呼びボタン
４３…スピーカー
４５…呼びボタン
４６…復帰ボタン
５０…制御盤
５５…ベルトコンベア
【図１】
2009062148.tif 000003
【図２】
2009062148.tif 000004
【図３】
2009062148.tif 000005
【図４】
2009062148.tif 000006
【図５】
2009062148.tif 000007
【図６】
2009062148.tif 000008
【図７】
2009062148.tif 000009
【図８】
2009062148.tif 000010
【図９】
2009062148.tif 000011
【図１０】
2009062148.tif 000012